(57)【要約】【課題】  走査ラインと画素電極との間にリークが生じても表示品位が低下することを防止可能な電気泳動表示装置を提供する。【解決手段】  画素電極１０６と共通電極Ｌ（ｊ）との間に負に帯電された複数の粒子Ｐｂと正に帯電された複数の粒子Ｐｗとを配置し、前記画素電極１０６にスイッチング素子を介して表示信号Ｖｄを印加する電気泳動表示装置であって、走査ラインＧ（ｊ）を介して前記スイッチング素子にゲートオン電圧Ｖｇｈ及びゲートオフ電圧Ｖｇｌを時分割的に印加する走査ドライバ１１と、走査ドライバ１１により前記スイッチング素子に前記ゲートオフ電圧Ｖｇｌが印加されているときに電圧レベルが前記ゲートオフ電圧Ｖｇｌと等しいコモン信号Ｖｃを前記共通電極Ｌ（ｊ）に印加する共通電極駆動回路１３と、を備える。【選択図】      図４
2010066329.tif 000002
【特許請求の範囲】
【請求項１】
スイッチング素子を介してデータラインに接続される画素電極と、
前記画素電極と対向するように配置される共通電極と、を有し、
前記画素電極と前記共通電極との間に光学媒体が配置され、前記光学媒体への印加電圧に対して光学特性がヒステリシスを有する表示装置であって、
走査ラインを介して前記スイッチング素子にゲートオン電圧及びゲートオフ電圧を時分割的に印加する走査手段と、
前記走査手段により前記スイッチング素子に前記ゲートオフ電圧が印加されているときに、前記ゲートオフ電圧との差分電圧が前記ヒステリシスの負極方向の立ち上がり電圧と前記ヒステリシスの正極方向の立ち上がり電圧との間になるコモン信号を前記共通電極に印加する共通電極駆動手段と、を備えたことを特徴とする表示装置。
【請求項２】
前記共通電極駆動手段は、前記走査手段により前記スイッチング素子に前記ゲートオフ電圧が印加されているときに、前記ゲートオフ電圧と等しい電圧レベルのコモン信号を前記共通電極に印加することを特徴とする請求項１に記載の表示装置。
【請求項３】
前記共通電極駆動手段は、前記走査手段により前記スイッチング素子に前記ゲートオン電圧が印加されているときに、電圧レベルが前記ゲートオフ電圧と前記ゲートオン電圧との間になるコモン信号を前記共通電極に印加することを特徴とする請求項１または２に記載の表示装置。
【請求項４】
画素行毎に前記走査ラインが形成されるとともに、前記走査ラインに対応するように前記画素行毎に互いに電気的に分離された前記共通電極が形成されていることを特徴とする請求項１から３の何れかに記載の表示装置。
【請求項５】
走査ライン毎にゲートオン電圧が印加されるタイミングが異なることを特徴とする請求項４に記載の表示装置。
【請求項６】
前記スイッチング素子を介して前記データラインから前記画素電極に供給される表示信号の電圧レベルが前記ゲートオフ電圧と前記ゲートオン電圧との間に設定されていることを特徴とする請求項１から５の何れかに記載の表示装置。
【請求項７】
前記光学媒体が電気泳動粒子を含むことを特徴とする請求項１から６の何れかに記載の表示装置。
【請求項８】
前記光学媒体が強誘電性を有する液晶であることを特徴とする請求項１から６の何れかに記載の表示装置。
【請求項９】
画素電極と共通電極との間に負に帯電された複数の粒子と正に帯電された複数の粒子とを配置し、前記画素電極にスイッチング素子を介して表示信号を印加する電気泳動表示装置であって、
走査ラインを介して前記スイッチング素子にゲートオン電圧及びゲートオフ電圧を時分割的に印加する走査手段と、
前記走査手段により前記スイッチング素子に前記ゲートオフ電圧が印加されているときに、電圧レベルが前記ゲートオフ電圧と等しいコモン信号を前記共通電極に印加する共通電極駆動手段と、
を備えたことを特徴とする電気泳動表示装置。
【請求項１０】
画素行毎に前記走査ラインが形成されるとともに、前記走査ラインに対応するように前記画素行毎に互いに電気的に分離された前記共通電極が形成されていることを特徴とする請求項９に記載の電気泳動表示装置。
【請求項１１】
スイッチング素子を介してデータラインに接続される画素電極と当該画素電極に対向するように配置される共通電極との間に光学媒体が配置され、前記光学媒体への印加電圧に対して光学特性がヒステリシスを有する表示装置の駆動方法であって、
前記スイッチング素子にゲートオフ電圧が印加されているときに、前記ゲートオフ電圧との差分電圧が前記ヒステリシスの負極方向の立ち上がり電圧と前記ヒステリシスの正極方向の立ち上がり電圧との間になるコモン信号を前記共通電極に印加することを特徴とする表示装置の駆動方法。
【請求項１２】
画素電極と共通電極との間に負に帯電された複数の粒子と正に帯電された複数の粒子とを配置し、前記画素電極にスイッチング素子を介して表示信号を印加する電気泳動表示装置の駆動方法であって、
前記スイッチング素子にゲートオフ電圧が印加されているときに、電圧レベルが前記ゲートオフ電圧と等しいコモン信号を前記共通電極に印加することを特徴とする電気泳動表示装置の駆動方法。
【発明の詳細な説明】
【技術分野】
【０００１】
本発明は、表示装置、電気泳動表示装置、表示装置の駆動方法及び電気泳動表示装置の駆動方法に関する。
【背景技術】
【０００２】
近年、携帯性に優れた紙と、表示内容を書き換え可能ディスプレイの長所を兼ね備えた電子ペーパーが広く用いられるようになってきている。このような電子ペーパーには、例えばその表示部に電気泳動素子を使用した電気泳動表示装置が適用されている（特許文献１）。
【０００３】
電気泳動表示素子は、対向配置された２枚の基板間に、負の電荷に帯電された白色粒子と正の電荷に帯電された黒色粒子がマイクロカプセル内に収められて封入されている。そして、２枚の基板間に電界が印加されることにより、視認方向に白色粒子が引き寄せられると白色表示され、また、視認方向に黒色粒子が引き寄せられると黒色表示される。図１１は、このような粒子の印加電圧Ｖｒに対する挙動（配向または光学）特性であり、ヒステリシス特性を有している（特許文献２）。
【０００４】
電気泳動表示素子では、このような粒子に電界を印加するために、一方の基板（対向基板）の内面に各表示画素で共通の電圧レベルに設定される共通電極が形成され、他方の基板（アクティブ基板）には表示画素毎に画素電極及びｎ型のＴＦＴ（Thin Film Transistor）などのスイッチング素子が形成されている。そして、各画素電極は、ＴＦＴを介して当該画素電極に対応する走査ラインＧ（ｊ）及びデータラインＳ（ｉ）に接続されている。
【０００５】
各画素電極は、走査ラインを介して当該画素電極に対応するＴＦＴに走査信号Ｖｇとしてゲートオン電圧Ｖｇｈが印加されると、データラインとの間で導通状態となり、このときにデータラインに供給されている表示信号が印加される。そして、粒子には、画素電極での電圧レベルＶｓ’と共通電極での電圧レベルＶｃとの間の電圧レベル差からなる電圧Ｖｒが印加される。その後、走査ラインを介してＴＦＴに走査信号Ｖｇとしてゲートオフ電圧Ｖｇｌが印加されることにより、画素電極とデータラインとは非導通状態となり、粒子への電界の印加状態が保持される。このとき、表示信号Ｖｄの電圧レベルは、図１２（ａ）に示すように、ＴＦＴを正常にオン／オフ動作させるために、ゲートオン電圧Ｖｇｈとゲートオフ電圧Ｖｇｌとの間の電圧レベルになるように設定される。更に、表示信号Ｖｄの電圧レベルは、視認方向を対向基板１０２側とし、この視認方向からの表示色を白色表示とする場合には、共通電極１０２に印加される電圧レベルを基準としてゲートオフ電圧Ｖｇｌ側になる電圧レベルに設定され、黒色表示とする場合には、共通電極１０２に印加される電圧レベルを基準としてゲートオン電圧Ｖｇｈ側になる電圧レベルに設定される。
【０００６】
【特許文献１】特開２００８−１２９５９９号公報
【特許文献２】特開２００７−７９３０１号公報
【発明の開示】
【発明が解決しようとする課題】
【０００７】
ところで、電気泳動表示装置は、より軽量化するため、或いは、フレキシブルに折り曲げ可能なように、帯電させた粒子を封入するために対向配置させた２枚の基板をプラスチック化することが要望されている。しかし、プラスチック基板上にＴＦＴなどのスイッチング素子を形成する際には、プラスチック基板の耐熱性等の問題から高温プロセスを用いることができず、ＴＦＴにおける絶縁膜の品質を向上させることが難しく、ＴＦＴのゲート電極とドレイン電極との間、即ち、ゲート電極に接続された走査ラインＧ（ｊ）とドレイン電極に接続された画素電極との間に図１３に示すように低抵抗Ｒｇｄが形成されリークが生じる。このため、黒色表示するために、共通電極に印加される電圧レベルを基準としてゲートオン電圧Ｖｇｈ側になる電圧レベルを画素電極に印加した場合に、このリークが大きいと、図１２（ｂ）に示すように、ＴＦＴをオフ状態にしている間に、画素電極での電圧レベルＶｄ’が、共通電極１０２に印加される電圧レベルＶｃよりもゲートオフ電圧Ｖｇｌ側になり白色表示化し表示品位が低下するという問題が生じていた。
【０００８】
本発明は、上記の事情に鑑みてなされたもので、走査ラインと画素電極との間にリークが生じても表示品位が低下することを防止可能な表示装置、電気泳動表示装置、表示装置の駆動方法及び電気泳動表示装置の駆動方法を提供することを目的とする。
【課題を解決するための手段】
【０００９】
上記の目的を達成するために、請求項１に記載の表示装置は、スイッチング素子を介してデータラインに接続される画素電極と、前記画素電極と対向するように配置される共通電極と、を有し、
前記画素電極と前記共通電極との間に光学媒体が配置され、前記光学媒体への印加電圧に対して光学特性がヒステリシスを有する表示装置であって、走査ラインを介して前記スイッチング素子にゲートオン電圧及びゲートオフ電圧を時分割的に印加する走査手段と、前記走査手段により前記スイッチング素子に前記ゲートオフ電圧が印加されているときに、前記ゲートオフ電圧との差分電圧が前記ヒステリシスの負極方向の立ち上がり電圧と前記ヒステリシスの正極方向の立ち上がり電圧との間になるコモン信号を前記共通電極に印加する共通電極駆動手段と、を備えたことを特徴とする。
また、請求項２に記載の表示装置は、請求項１に記載の表示装置において、前記共通電極駆動手段は、前記走査手段により前記スイッチング素子に前記ゲートオフ電圧が印加されているときに、前記ゲートオフ電圧と等しい電圧レベルのコモン信号を前記共通電極に印加することを特徴とする。
また、請求項３に記載の表示装置は、請求項１または２に記載の表示装置において、前記共通電極駆動手段は、前記走査手段により前記スイッチング素子に前記ゲートオン電圧が印加されているときに、電圧レベルが前記ゲートオフ電圧と前記ゲートオン電圧との間になるコモン信号を前記共通電極に印加することを特徴とする。
また、請求項４に記載の表示装置は、請求項１から３の何れかに記載の表示装置において、画素行毎に前記走査ラインが形成されるとともに、前記走査ラインに対応するように前記画素行毎に互いに電気的に分離された前記共通電極が形成されていることを特徴とする。
また、請求項５に記載の表示装置は、請求項４に記載の表示装置において、走査ライン毎にゲートオン電圧が印加されるタイミングが異なることを特徴とする。
また、請求項６に記載の表示装置は、請求項１から５の何れかに記載の表示装置において、前記スイッチング素子を介して前記データラインから前記画素電極に供給される表示信号の電圧レベルが前記ゲートオフ電圧と前記ゲートオン電圧との間に設定されていることを特徴とする。
また、請求項７に記載の表示装置は、請求項１から６の何れかに記載の表示装置において、前記光学媒体が電気泳動粒子を含むことを特徴とする。
また、請求項８に記載の表示装置は、請求項１から６の何れかに記載の表示装置において、前記光学媒体が強誘電性を有する液晶であることを特徴とする。
【００１０】
また、請求項９に記載の電気泳動表示装置は、画素電極と共通電極との間に負に帯電された複数の粒子と正に帯電された複数の粒子とを配置し、前記画素電極にスイッチング素子を介して表示信号を印加する電気泳動表示装置であって、走査ラインを介して前記スイッチング素子にゲートオン電圧及びゲートオフ電圧を時分割的に印加する走査手段と、前記走査手段により前記スイッチング素子に前記ゲートオフ電圧が印加されているときに、電圧レベルが前記ゲートオフ電圧と等しいコモン信号を前記共通電極に印加する共通電極駆動手段と、を備えたことを特徴とする。
また、請求項１０に記載の電気泳動表示装置は、請求項９に記載の電気泳動表示装置であって、画素行毎に前記走査ラインが形成されるとともに、前記走査ラインに対応するように前記画素行毎に互いに電気的に分離された前記共通電極が形成されていることを特徴とする。
【００１１】
また、請求項１１に記載の表示装置の駆動方法は、スイッチング素子を介してデータラインに接続される画素電極と当該画素電極に対向するように配置される共通電極との間に光学媒体が配置され、前記光学媒体への印加電圧に対して光学特性がヒステリシスを有する表示装置の駆動方法であって、前記スイッチング素子にゲートオフ電圧が印加されているときに、前記ゲートオフ電圧との差分電圧が前記ヒステリシスの負極方向の立ち上がり電圧と前記ヒステリシスの正極方向の立ち上がり電圧との間になるコモン信号を前記共通電極に印加することを特徴とする。
【００１２】
また、請求項１２に記載の電気泳動表示装置の駆動方法は、画素電極と共通電極との間に負に帯電された複数の粒子と正に帯電された複数の粒子とを配置し、前記画素電極にスイッチング素子を介して表示信号を印加する電気泳動表示装置の駆動方法であって、前記スイッチング素子にゲートオフ電圧が印加されているときに、電圧レベルが前記ゲートオフ電圧と等しいコモン信号を前記共通電極に印加することを特徴とする。
【発明の効果】
【００１３】
本発明によれば、走査ラインと画素電極との間にリークが生じても表示品位が低下することを防止できる。
【発明を実施するための最良の形態】
【００１４】
以下、本発明を実施するための形態を、図面を参照して説明する。
【００１５】
本発明に係る表示装置として、例えば電気泳動表示装置１の概略全体構成は図１に示すように、所定の映像がその表示領域１８に表示される電気泳動表示素子１０と、電気泳動表示素子１０の走査ラインＧ（ｊ）を選択的に駆動するための走査ドライバ１１と、電気泳動表示素子１０のデータラインＳ（ｉ）に表示信号Ｖｄを供給するための信号ドライバ１２と、電気泳動表示素子１０の共通電極L（ｊ）にコモン信号を出力する共通電極駆動回路１３と、電気泳動表示素子１０に所望の映像が表示されるように走査ドライバ１１や信号ドライバ１２、共通電極駆動回路１３などを同期させて制御するタイミングコントローラ１４と、供給される電源Ｖｃｃを駆動に必要な電圧に調整して各部に供給する電源調整回路１５等を有している。なお、映像メモリ２０には、例えば外部から外部信号として入力されてくる映像データが記憶される。
【００１６】
電気泳動表示素子１０は、図２及び図３に示すように、対向配置され、シール材１６により接着された２枚の基板間１０１、１０２に、光学媒体として複数のマイクロカプセル１０４が封入されている。このマイクロカプセル１０４内には、電気泳動分散液として、電気泳動粒子とこれを分散させる液相分散媒体が収められている。
【００１７】
液相分散媒としては、水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独、またはこれらの混合物に界面活性剤等を配合したものを用いることができる。
【００１８】
また、電気泳動粒子は、液相分散媒中で電位差による電気泳動により移動する性質を有する有機あるいは無機の粒子（高分子あるいはコロイド）であり、負の電荷に帯電された複数の白色粒子Ｐｗと正の電荷に帯電された複数の黒色粒子Ｐｂとが含まれている。白色粒子Ｐｗには、例えば、二酸化チタン、亜鉛華、三酸化アンチモン等の白色顔料を用いることができ、黒色粒子Ｐｂには、例えば、二酸化チタン、亜鉛華、三酸化アンチモン等の黒色顔料を用いることができる。
【００１９】
また、マイクロカプセル１０４の壁膜を形成する材料としては、アラビアゴム・ゼラチンの複合膜、ウレタン樹脂、ウレア樹脂、尿素樹脂などの化合物を用いることができる。
【００２０】
そして、一方の基板１０１（アクティブ基板１０１）の内側表面上には、行方向に延伸配設された複数の走査ラインＧ（ｊ）（例えばｎ本の走査信号線）と、列方向に延伸配設された複数のデータラインＳ（ｉ）（例えばｍ本のデータ信号線）とが形成され、走査ラインＧ（ｊ）とデータラインＳ（ｉ）との各交点近傍に表示画素が形成されている。各表示画素には、ゲート電極が走査ラインＧ（ｊ）に接続されるとともにソース電極がデータラインＳ（ｉ）に接続されたスイッチング素子としてのｎ型のＴＦＴ１０５と、当該ＴＦＴ１０５のドレイン電極に接続された画素電極１０６が形成されている。即ち、電気泳動表示素子１０は、表示画素がマトリクス状に形成され、画素行毎に走査ラインＧ（ｊ）が形成されるとともに、画素列毎にデータラインＳ（ｉ）が形成されている。また、他方の基板１０２（対向基板１０２）の内側表面には、画素行毎に互いに電気的に分離された共通電極Ｌ（ｊ）が、対応する画素電極１０６と対向するように形成されている。なお、ｉ＝１，２，・・・，ｍ、ｊ＝１，２，・・・，ｎ。
【００２１】
ここで、本実施形態においては、マイクロカプセル１０４への印加電圧Ｖｒに対するマイクロカプセル１０４内の帯電されているそれぞれの粒子Ｐｗ、Ｐｂの挙動は、互いの配向（泳動）状態によって示される表示色の変化（光学特性）が、図１１に示すようなヒステリシス特性を持つように挙動するものとする。
【００２２】
即ち、マイクロカプセル１０４への印加電圧Ｖｒが正極方向の立ち上がり電圧である０Ｖから正極方向の飽和電圧（例えば大凡３０Ｖ）までの間では、正極方向の立ち上がり電圧側から正極方向の飽和電圧側へ印加電圧Ｖｒが変化する際に白表示側から黒表示側への表示階調変化が可能になるとともに、正極方向の飽和電圧側から正極方向の立ち上がり電圧である０Ｖ側への印加電圧Ｖｒの変化では表示階調変化が発生しない。
【００２３】
また、マイクロカプセル１０４への印加電圧Ｖｒが負極方向の立ち上がり電圧である０Ｖから負極方向の飽和電圧（例えば大凡−３０Ｖ）までの間では、負極方向の立ち上がり電圧側から負極方向の飽和電圧側へ印加電圧Ｖｒが変化する際に黒表示側から白表示側への表示階調変化が可能になるとともに、負極方向の飽和電圧側から負極方向の立ち上がり電圧である０Ｖ側への印加電圧Ｖｒの変化では表示階調変化が発生しない。
【００２４】
走査ドライバ１１は、電気泳動表示素子１０に設けられた各走査ラインＧ（ｊ）に接続され、タイミングコントローラ１４から出力される垂直制御信号Ｖｓや、水平制御信号Ｈｓとしての第１ゲートクロック信号Ｈｓ１及び第２ゲートクロック信号Ｈｓ２に基づいて、図４に示すように、各走査ラインＧ（ｊ）に走査信号Ｖｇを出力する。なお、第１ゲートクロック信号Ｈｓ１と第２ゲートクロック信号Ｈｓ２とは互いに逆位相の矩形信号である。
【００２５】
走査ドライバ１１の主要部における概略構成は、図５に示すように、例えば走査ライン数分（ｎ段）の保持回路２０１、２０２、２０３、２０４、・・・が直列に配置されて構成される。そして、それぞれの保持回路は、入力端子ＩＮと、出力端子ＯＵＴと、リセット端子ＲＳＴと、クロック信号入力端子ＣＫと、高電位電源入力端子Ｔｈと、低電位電源入力端子Ｔｌとを有している。そして、１段目の保持回路２０１の入力端子ＩＮには１段目の入力信号として垂直制御信号Ｖｓが供給される。また、２段目以後の保持回路の入力端子ＩＮには前段の保持回路の出力信号が供給される。また、各保持回路のリセット端子ＲＳＴには次段の保持回路の出力信号が供給される。なお、最終段（例えばｎ段目）の保持回路（図示せず）のリセット端子ＲＳＴには、別途リセット信号ＥＮＤが供給される構成としてもよいし、１段目の保持回路２０１の出力信号が供給される構成としてもよい。
【００２６】
さらに、奇数段目の保持回路のクロック信号入力端子ＣＫには、第１ゲートクロック信号Ｈｓ１が供給され、偶数段目の保持回路のクロック信号入力端子ＣＫには、第１ゲートクロック信号Ｈｓ１に対して逆位相となっている第２ゲートクロック信号Ｈｓ２が供給される。また、各保持回路の高電位電源入力端子Ｔｈには所定の高電圧Ｖｇｈとしてゲートオン電圧Ｖｇｈが供給され、各保持回路の低電位電源入力端子Ｔｌには所定の低電圧Ｖｇｌとしてゲートオフ電圧Ｖｇｌが供給される。
【００２７】
各保持回路２０１、２０２、２０３、２０４、・・・は、図６に示すように、それぞれ、６個のＭＯＳ型電界効果トランジスタ（以下、ＭＯＳトランジスタと記す）Ｔ１１〜Ｔ１６と、コンデンサＣとを有している。
【００２８】
このような走査ドライバ１１は、図４に示すように、垂直制御信号Ｖｓに応じて当該フレームでの走査を開始するとともに、第１ゲートクロック信号Ｈｓ１及び第２ゲートクロック信号Ｈｓ２に応じて、所定の期間だけゲートオフ電圧Ｖｇｌからゲートオン電圧Ｖｇｈに切り換えるといった走査信号Ｖｇ出力を、最前段の走査ラインＧ（１）から順に最後段の走査ラインＧ（ｎ）まで、走査ライン毎に行う。
【００２９】
つまり、走査ドライバ１１は、走査ライン毎に、当該走査ラインに対応するＴＦＴを順次オン状態にし、このときにデータラインに出力されている表示信号を対応する画素電極に印加する。
【００３０】
信号ドライバ１２は、電気泳動表示素子１０に設けられた各データラインS（ｉ）に接続され、タイミングコントローラ１４から出力される垂直制御信号Ｖｓ、水平制御信号Ｈｓ、映像データＤａｔａ、及び基準クロック信号ＣＬＫなどに基づいて、各データ信号線Ｓ（ｉ）に対して、各データ信号線Ｓ（ｉ）に対応する表示信号における電圧レベルを所定のタイミングで切り換えて出力するものである。
【００３１】
信号ドライバ１２は、例えば奇数フレームの場合には、図７（ａ）に示すように、当該水平期間の前半Ｔ１において、マイクロカプセル１０４に負極性の最大電圧Ｖｒｍｎが印加されるように表示信号Ｖｄを対応するデータラインＳ（ｉ）に供給した後に、当該水平期間の後半Ｔ２において、映像データＤａｔａが示す階調に対応する表示信号Ｖｄを対応するデータラインＳ（ｉ）に供給する。また、例えば偶数フレームの場合には、図７（ｂ）に示すように、当該水平期間の前半Ｔ１において、マイクロカプセル１０４に正極性の最大電圧Ｖｒｍｐが印加されるように表示信号Ｖｄを対応するデータラインＳ（ｉ）に供給した後に、当該水平期間の後半Ｔ２において、映像データＤａｔａが示す階調に対応する表示信号Ｖｄを対応するデータラインＳ（ｉ）に供給する。
【００３２】
共通電極駆動回路１３は、電気泳動表示素子１０に設けられた各共通電極Ｌ（ｉ）に接続され、タイミングコントローラ１４から出力される垂直制御信号Ｖｓや、水平制御信号Ｈｓとしての第１ゲートクロック信号Ｈｓ１及び第２ゲートクロック信号Ｈｓ２に基づいて、図４に示すように、各共通電極Ｌ（ｉ）にコモン信号Ｖｃを出力する。
【００３３】
共通電極駆動回路１３の主要部における概略構成は、図５に示した走査ドライバ１１の主要部における概略構成と大凡同様の構成とすることができる。そして、共通電極駆動回路１３は、垂直制御信号Ｖｓに応じて当該フレームでの走査を開始するとともに、第１ゲートクロック信号Ｈｓ１及び第２ゲートクロック信号Ｈｓ２に応じて、所定の期間だけ第一の電圧レベルＶｃｌから第一の電圧レベルよりも電圧レベルの高い第二の電圧レベルＶｃｈに切り換えるといったコモン信号Ｖｃ出力を、最前段の走査ラインＧ（１）に対応した共通電極Ｌ（１）から順に最後段の走査ラインＧ（ｎ）に対応した共通電極Ｌ（ｎ）まで、共通電極毎に行う。
【００３４】
ここで、コモン信号Ｖｃにおける第一の電圧レベルＶｃｌは、図８に示すように、走査信号Ｖｇにおけるゲートオフ電圧Ｖｇｌと大凡等しい電圧レベルに設定されている。また、第二の電圧レベルＶｃｈは、走査信号Ｖｇにおけるゲートオフ電圧Ｖｇｌとゲートオン電圧Ｖｇｈとの間の電圧レベルとなるように、かつ、マイクロカプセル１０４に負極性の最大電圧Ｖｒｍｎが印加されるときに対応する表示信号Ｖｄにおける電圧レベルＶｄｍｎとマイクロカプセル１０４に正極性の最大電圧Ｖｒｍｐが印加されるときに対応する表示信号Ｖｄにおける電圧レベルＶｄｍｐとの間の大凡中間の電圧レベルとなるように、設定されている。
【００３５】
上述したような電気泳動表示装置１では、各画素電極１０６での電圧レベルＶｄ’は、理想的には例えば図９（ａ）、図９（ｂ）のように変移する。ここで、図９（ａ）は、継続的に黒を表示する場合を示し、図９（ｂ）は、継続的に白を表示する場合を示している。
【００３６】
しかし、図１３に示したように、ＴＦＴのゲート電極とドレイン電極との間、即ち、ゲート電極に接続された走査ラインＧ（ｊ）とドレイン電極に接続された画素電極１０６との間に低抵抗Ｒｇｄが形成されリークが生じたような場合には、各画素電極１０６での電圧レベルＶｄ’は、例えば図１０（ａ）、図１０（ｂ）のように変移する。ここで、図１０（ａ）は、継続的に黒を表示する場合を示し、図１０（ｂ）は、継続的に白を表示する場合を示している。
【００３７】
即ち、本実施の形態では、走査ラインＧ（ｊ）と当該走査ラインＧ（ｊ）に対応する画素電極１０６との間にリークが生じ、表示画素のＴＦＴがオフ状態にされている間に画素電極１０６での電圧レベルが走査信号Ｖｇにおけるゲートオフ電圧Ｖｇｌと等しい電圧レベルまで変化しきったとしても、表示画素のＴＦＴがオフ状態にされている間は共通電極Ｌ（ｊ）の電圧レベルがゲートオフ電圧Ｖｇｌと等しい電圧レベルに設定されているため、画素電極１０６と共通電極Ｌ（ｊ）との間に印加される電圧の極性が反転することはない（マイクロカプセル１０４への印加電圧Ｖｒの極性が反転することはない）。従って、各表示画素では各マイクロカプセル１０４内の各粒子の配向状態をＴＦＴがオフ状態にされている間、ＴＦＴがオン状態のときに書き込まれた配向状態に維持することができるため、走査ラインＧ（ｊ）と当該走査ラインＧ（ｊ）に対応する画素電極１０６との間に発生するリークにより表示画素での表示階調が変化してしまうことを防止することができる。
【００３８】
なお、上述の実施の形態では、マイクロカプセル１０４への印加電圧Ｖｒに対するマイクロカプセル１０４内の帯電されているそれぞれの粒子Ｐｗ、Ｐｂの挙動において、互いの配向（泳動）状態によって示される表示色の変化が、図１１に示すようなヒステリシス特性を持つ場合、即ち、ヒステリシスの正極方向の立ち上がり電圧と負極方向の立ち上がり電圧とが、例えば０Ｖで等しい場合について説明したが、図１４に示すように、ヒステリシスの正極方向の立ち上がり電圧Ｖｐと負極方向の立ち上がり電圧Ｖｍとは異なっていてもよい。
【００３９】
そして、このような場合には、ＴＦＴ１０５にゲートオフ電圧Ｖｇｌが印加されているときに、ゲートオフ電圧Ｖｇｌとの差分電圧がヒステリシスの負極方向の立ち上がり電圧Ｖｍとヒステリシスの正極方向の立ち上がり電圧Ｖｐとの間になるコモン信号Ｖｃを共通電極Ｌ（ｊ）に印加する構成とすれば、走査ラインＧ（ｊ）と当該走査ラインＧ（ｊ）に対応する画素電極１０６との間にリークが生じ、表示画素のＴＦＴがオフ状態にされている間に画素電極１０６での電圧レベルが走査信号Ｖｇにおけるゲートオフ電圧Ｖｇｌと等しい電圧レベルまで変化しきったとしても、表示画素のＴＦＴがオフ状態にされている間は、マイクロカプセル１０４への印加電圧Ｖｒをヒステリシスの立ち上がり電圧以下に維持することができる。従って、各表示画素では各マイクロカプセル１０４内の各粒子の配向状態をＴＦＴがオフ状態にされている間、ＴＦＴがオン状態のときに書き込まれた配向状態に維持することができるため、走査ラインＧ（ｊ）と当該走査ラインＧ（ｊ）に対応する画素電極１０６との間に発生するリークにより表示画素での表示階調が変化してしまうことを防止することができる。
【００４０】
また、上述の実施の形態では、各表示画素にスイッチング素子としてｎ型のＴＦＴを形成した場合について説明したが、スイッチング素子はｐ型のＴＦＴであってもよい。スイッチング素子にゲートオフ電圧が印加されているときに電圧レベルがゲートオフ電圧と等しいコモン信号を共通電極に印加する構成となっていればよい。
【００４１】
また、上述の実施の形態では、電気泳動粒子として白色粒子と黒色粒子とを用いた白黒表示の場合について説明したが、電気泳動粒子に有色粒子等を用いたカラー表示であってもよい。有色粒子としては、イソインドリノン、黄鉛、黄色酸化鉄、カドミウムイエロー、チタンイエロー、アンチモン等の黄色顔料、キナクリドンレッド、クロムバーミリオン等の赤色顔料、フタロシアニンブルー、インダスレンブルー、アントラキノン系染料、紺青、群青、コバルトブルー等の青色顔料、フタロシアニングリーン等の緑色顔料等を用いることができる。
【００４２】
また、上述の実施の形態では、光学特性にヒステリシスを有する光学媒体として電気泳動粒子が含まれているものについて説明したが、光学特性にヒステリシスを有する光学媒体として強誘電性を有する液晶を用いてもよい。即ち、画素電極と共通電極との間に強誘電性を有する液晶を配置した表示装置にも適用可能である。
【図面の簡単な説明】
【００４３】
【図１】電気泳動表示装置の概略全体構成図。
【図２】電気泳動表示素子の断面図。
【図３】電気泳動表示素子における各表示画素の説明図。
【図４】電気泳動表示装置の動作を説明するためのタイミングチャート。
【図５】走査ドライバの概略構成図。
【図６】走査ドライバにおける保持回路の説明図。
【図７】表示信号の説明図であり、（ａ）は奇数フレーム、（ｂ）は偶数フレーム。
【図８】走査信号の電圧レベルとコモン信号の電圧レベルの説明図。
【図９】画素電極の理想的な電圧レベル変化の説明図であり、（ａ）は黒表示を維持する場合、（ｂ）は白表示を維持する場合。
【図１０】走査ラインと画素電極との間にリークがあるときの画素電極の電圧レベル変化の説明図であり、（ａ）は黒表示を維持する場合、（ｂ）は白表示を維持する場合。
【図１１】電気泳動粒子の挙動特性。
【図１２】従来技術における走査信号の電圧レベルとコモン信号の電圧レベルの説明図。
【図１３】表示画素の等価回路。
【図１４】電気泳動粒子の挙動特性。
【符号の説明】
【００４４】
１：電気泳動表示装置
１０：電気泳動表示素子
１１：走査ドライバ
１２：信号ドライバ
１３：共通電極駆動回路
１４：タイミングコントローラ
１５：電源調整回路
２０：映像メモリ
１０１：アクティブ基板
１０２：対向基板
１０４：マイクロカプセル
１０６：画素電極
Ｇ（ｊ）：走査ライン
Ｌ（ｊ）：共通電極
Ｓ（ｉ）：データライン
Ｖｃ：コモン信号
Ｖｄ：表示信号
Ｖｇ：走査信号
Ｖｇｈ：ゲートオン電圧
Ｖｇｌ：ゲートオフ電圧
【図１】
2010066329.tif 000003
【図２】
2010066329.tif 000004
【図３】
2010066329.tif 000005
【図４】
2010066329.tif 000006
【図５】
2010066329.tif 000007
【図６】
2010066329.tif 000008
【図７】
2010066329.tif 000009
【図８】
2010066329.tif 000010
【図９】
2010066329.tif 000011
【図１０】
2010066329.tif 000012
【図１１】
2010066329.tif 000013
【図１２】
2010066329.tif 000014
【図１３】
2010066329.tif 000015
【図１４】
2010066329.tif 000016